(57)【要約】【課題】商品収納庫の内面を覆う内面側部材の材料使用量を少なくすることのできる自動販売機を提供する。【解決手段】商品収納庫３０の底面、上面、背面及び左右両側面に配置された断熱材３１ａ，３１ｂ，３１ｃ，３１ｄの内面側を覆う内面側部材３２を、商品収納庫３０の底面側を覆う底面側部材３２ａと、左右両側面側の下部を覆う一対の側面側部材３２ｂとから形成したので、内面側部材を商品収納庫の内面全体を覆うように形成する必要がなく、底面側部材３２ａに冷却器７０及び送風機８０を固定し、側面側部材３２ｂにシュート板６０を固定することができ、内面側部材３２に使用する材料を大幅に減少させることができる。【選択図】図３
2005135263.tif 000002
【特許請求の範囲】
【請求項１】
商品収納庫の底面、上面、背面及び左右両側面に配置された板状の断熱材と、断熱材の外面側を覆う外面側部材と、断熱材の内面側を覆う内面側部材とを備えた自動販売機において、
前記内面側部材を、前記商品収納庫の底面側を覆う底面側部材と、前記商品収納庫の左右両側面側の下部を覆う一対の側面側部材とから形成した
ことを特徴とする自動販売機。
【請求項２】
前記商品収納庫の上面前端側を補強する上面前端側部材と、
商品収納庫の上面後端側を補強する上面後端側部材とを備えた
ことを特徴とする請求項１記載の自動販売機。
【請求項３】
前記商品収納庫内を幅方向に仕切る仕切板を板状の断熱材によって形成し、
仕切板の側面下部を覆う側面側部材を備えた
ことを特徴とする請求項１または２記載の自動販売機。
【発明の詳細な説明】
【技術分野】
【０００１】
本発明はビンまたは缶入り飲料の商品を冷却または加熱して販売する自動販売機に関するものである。
【背景技術】
【０００２】
従来、この種の自動販売機としては、自動販売機本体の外面を形成する外箱と、自動販売機本体内に設けられた内箱との間に、発泡ウレタン等の断熱材を注入発泡して硬化させることによって商品収納庫を構成し、商品収納庫内を冷却または加熱することにより、冷たい商品または暖かい商品を販売するようにしたものが知られている。
【０００３】
また、前記自動販売機の内箱にシュート板、コラムレール、仕切板、配線等を固定するとともに、庫内の気密の保持及び結露水の排水の機能を有しているものが知られている（例えば、特許文献１参照）。
【０００４】
また、従来の自動販売機では、板状に形成された断熱材を外箱の内側に配置し、各断熱材によって商品収納庫の底面、上面、背面及び左右両側面を覆うようにしたものも知られている（例えば、特許文献２参照）。
【特許文献１】特開２００３−２３３８６４号公報
【特許文献２】特開平１０−１１６３８５号公報
【発明の開示】
【発明が解決しようとする課題】
【０００５】
ところで、従来の自動販売機では、内箱の底面側及び左右両側面側に冷却器やシュート板が取付けられるが、商品収納庫を板状の断熱材を用いて形成した場合には、外箱と内箱との間に断熱材を注入発泡するための空間を形成する必要がない。しかしながら、従来の内箱は商品収納庫の前面を除く内面全体を覆うように形成されているため、冷却器やシュート板の取付けに必要な底面側及び左右両側面側以外の部分にも内箱を形成する金属板が用いられることになり、製造コストを無用に増加させるという問題点があった。
【０００６】
本発明は前記問題点に鑑みてなされたものであり、その目的とするところは、商品収納庫の内面を覆う内面側部材の材料使用量を少なくすることのできる自動販売機を提供することにある。
【課題を解決するための手段】
【０００７】
本発明は前記問題点を達成するために、商品収納庫の底面、上面、背面及び左右両側面に配置された板状の断熱材と、断熱材の外面側を覆う外面側部材と、断熱材の内面側を覆う内面側部材とを備えた自動販売機において、前記内面側部材を、前記商品収納庫の底面側を覆う底面側部材と、前記商品収納庫の左右両側面側の下部を覆う一対の側面側部材とから形成している。これにより、商品収納庫の底面側及び左右両側面の断熱材が内面側部材の底面側部材及び側面側部材によって覆われることから、例えば底面側部材に冷却器及び送風機を固定し、側面側部材にシュート板を固定することが可能となり、内面側部材を商品収納庫の内面全体を覆うように形成する必要がない。
【発明の効果】
【０００８】
本発明によれば、内面側部材を商品収納庫の内面全体を覆うように形成する必要がないので、内面側部材に使用する材料を大幅に減少させることができ、製造コストや重量の低減を図ることができる。また、内面側部材として用いられる金属材料を減らすことができるので、商品収納庫の内面の熱伝導率を低くすることができ、熱伝導による冷却効率の低下または加熱効率の低下を確実に防止することができる。
【発明を実施するための最良の形態】
【０００９】
図１乃至図６は本発明の一実施形態を示すもので、図１は自動販売機の全体斜視図、図２は外扉及び内扉を開放した自動販売機の全体斜視図、図３は自動販売機の側面断面図、図４乃至図６は自動販売機の分解斜視図である。
【００１０】
この自動販売機は、前面を開口した自動販売機本体１０と、自動販売機本体１０の前面を開閉する外扉２０と、自動販売機本体１０内に設けられた商品収納庫３０とを備えている。
【００１１】
自動販売機本体１０は、外面を形成する外面側部材としての外箱１１と、その下部に設けられた機械室１２とを備え、機械室１２内には図示しない冷却装置や電装ユニットを備えている。
【００１２】
外扉２０は、前面に商品サンプル２１、商品選択スイッチ２２、硬貨投入口２３、紙幣投入口２４、硬貨返却口２５及び商品取出口２６を備え、その幅方向一端側を自動販売機本体１０に回動自在に支持されている。
【００１３】
商品収納庫３０は、底面側、上面側、背面側及び左右両側面側に配置された断熱材３１ａ，３１ｂ，３１ｃ，３１ｄと、商品収納庫３０内の底面側及び側面下部を覆う内面側部材３２と、商品収納庫３０の上面前端側を補強する上面前端側部材３３と、商品収納庫３０の上面後端側に設けられた上面後端側部材３４と、前面開口部の上端側を除いた周端部に一体に設けられた枠部材３５と、商品収納庫３０内を幅方向に分割する仕切板３６とから構成され、その前面は断熱性の内扉４０によって開閉するようになっている。商品収納庫３０内にはサーペンタイン式の周知の商品コラム５０がコラムレール５０ａを介して吊下げられ、その下方には商品コラム５０から落下搬出された商品を商品取出口２６に搬出する前方に傾斜したシュート板６０を備えている。また、シュート板６０の下方には冷却器７０及び送風機８０が設けられている。
【００１４】
断熱材３１ａ，３１ｂ，３１ｃ，３１ｄはウレタンボードからなり、断熱材３１ａ，３１ｂ，３１ｃ，３１ｄによって構成された箱体はパッキン材またはシール材等の気密部材によって気密が保持されるようになっている。
【００１５】
内面側部材３２は、商品収納庫１０内の底面側に設けられた底面側部材３２ａと、左右両側面の下部に設けられた側面側部材３２ｂとから構成されている。底面側部材３２ａは左右方向に伸びる板状の部材からなり、後端側に冷却器７０及び送風機８０を固定可能に設けられ、冷却器７０から発生する結露水を排出するための排水口３２ｃを有している。底面側部材３２ａの前端部には複数の切欠部３２ｄが設けられ、切欠部３２ｄには機械室１２と商品収納庫３０の間の配管及び配線等が挿通されるようになっている。
【００１６】
上面前端側部材３３は左右方向に延びる樹脂製の部材からなり、商品コラム５０を支持するコラムレール５０ａの前端側が連結されるようになっている。
【００１７】
上面後端側部材３４はコラムレール５０ａの後端側を挿入して支持する溝３４ａを有し、外箱１１の背面側に固定されている。
【００１８】
枠部材３５は前面開口部の周端部を覆うように設けられ、枠部材３５の前面側には内扉４０の内面側と圧着する図示しないパッキンが設けられている。
【００１９】
仕切板３６はウレタンボードからなる断熱性の部材で、内面側部材３２の側面側部材３２ｂと同様の側面側部材３６ａが左右両面に設けられることにより、シュート板６０を固定するようになっている。また、仕切板３６の下端の前端側には商品収納庫３０内の配管または配線等を挿通する切欠部３６ｂが設けられ、それ以外の周端部には図示しないパッキンによって商品収納庫１０内に圧着するようになっている。
【００２０】
以上のように構成された自動販売機において、商品収納庫３０の組立手順は、外箱１１内に断熱材３１ａ，３１ｂ，３１ｃ，３１ｄを取付けた後、底面側部材３２ａと一対の側面側部材３２ｂとが一体に設けられた内面側部材３２、上面前端側部材３３、上面後端側部材３４及び枠部材３５を取付けることにより、商品収納庫３０が構成される。このとき、商品コラム５０が吊下げられるコラムレール５０ａを上面前端側部材３３及び上面後端側部材３４によって支持し、冷却器７０及び送風機８０を底面側部材３２ａに固定し、シュート板６０を側面側部材３２ｂに取付ることが可能となる。また、仕切板３６を底面側部材３２ａ、上面前端側部材３３及び上面後端側部材３４に圧着することにより、気密を保持して商品収納庫３０内を仕切ることが可能となる。
【００２１】
このように、本実施形態の自動販売機によれば、商品収納庫３０の底面、上面、背面及び左右両側面に配置された断熱材３１ａ，３１ｂ，３１ｃ，３１ｄの内面側を覆う内面側部材３２を、商品収納庫３０の底面側を覆う底面側部材３２ａと、左右両側面側の下部を覆う一対の側面側部材３２ｂとから形成したので、内面側部材を商品収納庫の内面全体を覆うように形成する必要がなく、底面側部材３２ａに冷却器７０及び送風機８０を固定し、側面側部材３２ｂにシュート板６０を固定することができ、内面側部材３２に使用する材料を大幅に減少させることができる。また、内面側部材３２として用いられる金属材料を減らすことができるので、商品収納庫３０の内面の熱伝導率を低くすることができ、熱伝導による冷却効率の低下または加熱効率の低下を確実に防止することができる。
【００２２】
また、商品収納庫３０の上面前端側を補強する上面前端側部材３３と、商品収納庫３０の上面後端側を補強する上面後端側部材３４とを設けたので、上面前端側部材３３及び上面後端側部材３４によってコラムレール５０ａを固定して商品コラム５０を吊下げることができ、商品収納庫３０内の奥行寸法が異なる場合においても同じ部材を使用可能になるため、部材の共通化を図ることができる。
【００２３】
また、商品収納庫３０内を幅方向に仕切る断熱性の仕切板３６の側面下部を覆う側面側部材３６ａを備えたので、商品収納庫３０内が断熱性の仕切板３６によって仕切られた場合でもシュート板６０を固定することができ、仕切板３６本体をウレタンボード等の断熱材のみで形成した場合でもシュート板６０を固定することができる。
【図面の簡単な説明】
【００２４】
【図１】本発明の一実施形態を示す自動販売機の全体斜視図
【図２】外扉及び内扉を開放した自動販売機の斜視図
【図３】自動販売機の側面断面図
【図４】自動販売機の分解斜視図
【図５】自動販売機の分解斜視図
【図６】自動販売機の分解斜視図
【符号の説明】
【００２５】
１０…自動販売機本体、１１…外箱、３０…商品収納庫、３１ａ…底面側断熱材、３１ｂ…上面側断熱材、３１ｃ…背面側断熱材、３１ｄ…左右両側面側断熱材、３２…内面側部材、３２ａ…底面側部材、３２ｂ…上面前端側部材、３２ｃ…上面後端側部材、３２ｄ…側面側部材、３２ｅ…枠部材、３３…仕切板。
【図１】
2005135263.tif 000003
【図２】
2005135263.tif 000004
【図３】
2005135263.tif 000005
【図４】
2005135263.tif 000006
【図５】
2005135263.tif 000007
【図６】
2005135263.tif 000008